(57)【要約】【課題】ＨＤＴＶの制御情報の設定を、セットを開梱することなく、低コストで容易に行い得る、ＨＤＴＶ、及びＨＤＴＶ調整制御方法を提供する【解決手段】調整用データをＩＮＦＯフレームに外部より送出し、映像信号入力端子１３を介してＨＤＭＩレシーバ１４のレジスタに書き込み、マイコン１５で調整用データを読み取り、そのデータ内容に基づいてＨＤＴＶ１１を調整制御する。【選択図】図１
0003112392.tif 000002
【実用新案登録請求の範囲】
【請求項１】
外部からの映像信号を入力する映像信号入力端子を備えたＨＤＴＶであって、
当該ＨＤＴＶは、
ＨＤＭＩ規格の前記映像信号入力端子と、
当該映像信号入力端子を介して外部より入力したＴＭＤＳ方式の映像信号を受信し、ビデオプロセッサに出力するＨＤＭＩレシーバと、
当該ＨＤＭＩレシーバを制御するマイコンとを備え、
調整作業時に行う調整情報を有する調整用データをエンコードしてＴＭＤＳ方式のＩＮＦＯフレームに外部より送出すると共に、調整内容の映像データをエンコードしてＴＭＤＳ方式の映像フレームに外部より送出し、
前記調整用データ、及び映像データを前記映像信号入力端子を介して前記ＨＤＭＩレシーバのレジスタに書き込み、
前記マイコンは、ＨＤＭＩレシーバの前記レジスタ内に書き込まれたＩＮＦＯフレームの調整用データを読み取り、そのデータ内容に基づいてＨＤＴＶの調整制御を行うと共に、ＨＤＭＩレシーバの前記レジスタ内に書き込まれた映像フレームの調整用の映像データを読み取り、映像をディスプレイに表示することで、  
調整作業時に、ＨＤＴＶのセットの開梱を不要ならしめると共に、調整内容の確認を容易化ならしめることを特徴とする、ＨＤＴＶ。
【請求項２】
外部からの映像信号を入力する映像信号入力端子を備えたＨＤＴＶであって、
当該ＨＤＴＶは、
ＨＤＭＩ規格の前記映像信号入力端子と、
当該映像信号入力端子を介して外部より入力したＴＭＤＳ方式の映像信号を受信し、ビデオプロセッサに出力するＨＤＭＩレシーバと、
当該ＨＤＭＩレシーバを制御するマイコンとを備え、
調整作業時に行う調整情報を有する調整用データをエンコードしてＴＭＤＳ方式のＩＮＦＯフレームに外部より送出し、
前記調整用データを前記映像信号入力端子を介して前記ＨＤＭＩレシーバのレジスタに書き込み、
前記マイコンは、ＨＤＭＩレシーバの前記レジスタ内に書き込まれたＩＮＦＯフレームの調整用データを読み取り、そのデータ内容に基づいてＨＤＴＶの調整制御を行うことを特徴とする、ＨＤＴＶ。
【請求項３】
前記ＨＤＴＶは、
調整作業時に行う調整情報を有する調整用データをエンコードしてＴＭＤＳ方式のＩＮＦＯフレームに外部より送出すると共に、調整内容の映像データをエンコードしてＴＭＤＳ方式の映像フレームに外部より送出し、
前記調整用データ、及び映像データを前記映像信号入力端子を介して前記ＨＤＭＩレシーバのレジスタに書き込み、
前記マイコンは、ＨＤＭＩレシーバの前記レジスタ内に書き込まれたＩＮＦＯフレームの調整用データを読み取り、そのデータ内容に基づいてＨＤＴＶの調整制御を行うと共に、ＨＤＭＩレシーバの前記レジスタ内に書き込まれた映像フレームの調整用の映像データを読み取り、映像をディスプレイに表示することで、  
調整作業時に、ＨＤＴＶのセットの開梱を不要ならしめると共に、調整内容の確認を容易化ならしめることを特徴とする、請求項２に記載のＨＤＴＶ。
【考案の詳細な説明】
【技術分野】
【０００１】
本考案は、調整用データに基づき調整を行うＨＤＴＶに関する。
【背景技術】
【０００２】
近年、半導体技術や電子技術の伸展を背景に、信号処理をデジタル化した上、従来のテレビに対して走査線を多く備えた所謂ＨＤＴＶ（Ｈｉｇｈ  Ｄｅｆｉｎｉｔｉｏｎ  ＴＶ）が開発されている。こうしたＨＤＴＶは、信号劣化が少なく、高精細な映像表示が可能であることから、デジタル放送の開始とも相まって、急速に普及しつつある。
【０００３】
ところで、こうしたＨＤＴＶには、通常、映像信号を表示する際の制御情報を記憶するメモリと、当該制御情報に基づいて映像信号を処理するマイコンとを備えている。この制御情報には、例えば明るさ、色合い、コントラスト等の各種条件が含まれる。
【０００４】
こうした各種条件が含まれる制御情報は、生産ラインでの組み立て時には、初期条件として通常、万人が好む標準的な設定が成されている。しかし、その後の出荷時、或いは出荷後において、ユーザーの好みに合わせて、適宜設定変更を要する場合がある。又、故障時の修理に伴い、再度、設定し直す必要が生じる場合もある。
【０００５】
このような、制御情報の設定を要するメンテナンスサービス時においては、通常、サービス要員により、ＨＤＴＶの筐体、及び内蔵する電子回路装置等のセットを開梱して行われる。
【０００６】
しかし、このＨＤＴＶのセットの開梱を伴う作業においては、解析、調整に要する作業工数が非常に多かった。又、この作業自体に起因し、新たな２次的な不具合を生じる可能性もあった。更に、解析、調整作業のために、別途、調整機器が必要となり、コストアップに繋がっていた。
【０００７】
ところで、特開２００１−３４６２３４号公報（引用文献１）では、テレビ受像機のメモリ書き換えの際、マイコンとメモリとの間の信号停止回路と、映像入力端子からの信号の変換手段と音声出力端子からの信号の変換手段とから成るメモリ書換回路によって行う構成が開示されている。
【０００８】
一方、特開昭６４−２７３９２号公報（引用文献２）では、表示機の検査において、内部の制御データを表示機に表示し、利用者が操作と表示状態が対応しているかを対比して確認することができるようにしている。
【特許文献１】特開２００１−３４６２３４号公報
【特許文献２】特開昭６４−２７３９２号公報
【考案の開示】
【考案が解決しようとする課題】
【０００９】
しかしながら、前記引用文献１のような構成では、セットの開梱の必要はなくなるが、簡易ではあるが新たなメモリ書換回路を追加する必要があり、コストアップに繋がるという問題を解決することはできない。
【００１０】
又、前記引用文献２のような構成では、作業者の作業負担を軽減することはできるものの、依然、、セットの開梱の必要があり、それに伴う問題を解決することはできない。
【００１１】
本考案は、上記課題にかんがみてなされたもので、ＨＤＴＶの制御情報の設定を要するメンテナンスサービスを、筐体、及び内蔵する電子回路装置等のセットを開梱することなく、低コストで容易に行い得る、ＨＤＴＶを提供することを目的とする。
【課題を解決するための手段】
【００１２】
上記問題を解決する為に請求項１に記載の考案は、外部からの映像信号を入力する映像信号入力端子を備えたＨＤＴＶであって、当該ＨＤＴＶは、ＨＤＭＩ規格の前記映像信号入力端子と、当該映像信号入力端子を介して外部より入力したＴＭＤＳ方式の映像信号を受信し、ビデオプロセッサに出力するＨＤＭＩレシーバと、当該ＨＤＭＩレシーバを制御するマイコンとを備え、調整作業時に行う調整情報を有する調整用データをエンコードしてＴＭＤＳ方式のＩＮＦＯフレームに外部より送出すると共に、調整内容の映像データをエンコードしてＴＭＤＳ方式の映像フレームに外部より送出し、前記調整用データ、及び映像データを前記映像信号入力端子を介して前記ＨＤＭＩレシーバのレジスタに書き込み、前記マイコンは、ＨＤＭＩレシーバの前記レジスタ内に書き込まれたＩＮＦＯフレームの調整用データを読み取り、そのデータ内容に基づいてＨＤＴＶの調整制御を行うと共に、ＨＤＭＩレシーバの前記レジスタ内に書き込まれた映像フレームの調整用の映像データを読み取り、映像をディスプレイに表示することで、調整作業時に、ＨＤＴＶのセットの開梱を不要ならしめると共に、調整内容の確認を容易化ならしめる構成としている。
【００１３】
上記のように構成した請求項１に記載の考案によれば、調整用データを外部から映像信号入力端子を介してＩＮＦＯフレームによりＨＤＭＩレシーバのレジスタに入力し、マイコンで当該ＩＮＦＯフレーム内の調整用データを読み込み、ＨＤＴＶを調整制御する。
【００１４】
又、調整内容の映像データを外部から映像信号入力端子を介して映像フレームによりＨＤＭＩレシーバのレジスタに入力し、マイコンで当該映像フレーム内の調整用の映像データを読み取り、映像をＨＤＴＶのディスプレイに表示する。
【００１５】
請求項２に記載の考案は、外部からの映像信号を入力する映像信号入力端子を備えたＨＤＴＶであって、当該ＨＤＴＶは、ＨＤＭＩ規格の前記映像信号入力端子と、当該映像信号入力端子を介して外部より入力したＴＭＤＳ方式の映像信号を受信し、ビデオプロセッサに出力するＨＤＭＩレシーバと、当該ＨＤＭＩレシーバを制御するマイコンとを備え、調整作業時に行う調整情報を有する調整用データをエンコードしてＴＭＤＳ方式のＩＮＦＯフレームに外部より送出し、前記調整用データを前記映像信号入力端子を介して前記ＨＤＭＩレシーバのレジスタに書き込み、前記マイコンは、ＨＤＭＩレシーバの前記レジスタ内に書き込まれたＩＮＦＯフレームの調整用データを読み取り、そのデータ内容に基づいてＨＤＴＶの調整制御を行う構成としている。
【００１６】
上記のように構成した請求項２に記載の考案によれば、調整用データを外部から映像信号入力端子を介してＩＮＦＯフレームによりＨＤＭＩレシーバのレジスタに入力し、マイコンで当該ＩＮＦＯフレーム内の調整用データを読み込み、ＨＤＴＶを調整制御する。
【００１７】
請求項３に記載の考案は、前記ＨＤＴＶは、調整作業時に行う調整情報を有する調整用データをエンコードしてＴＭＤＳ方式のＩＮＦＯフレームに外部より送出すると共に、調整内容の映像データをエンコードしてＴＭＤＳ方式の映像フレームに外部より送出し、前記調整用データ、及び映像データを前記映像信号入力端子を介して前記ＨＤＭＩレシーバのレジスタに書き込み、前記マイコンは、ＨＤＭＩレシーバの前記レジスタ内に書き込まれたＩＮＦＯフレームの調整用データを読み取り、そのデータ内容に基づいてＨＤＴＶの調整制御を行うと共に、ＨＤＭＩレシーバの前記レジスタ内に書き込まれた映像フレームの調整用の映像データを読み取り、映像をディスプレイに表示することで、調整作業時に、ＨＤＴＶのセットの開梱を不要ならしめると共に、調整内容の確認を容易化ならしめる構成としている。
【００１８】
上記のように構成した請求項３に記載の考案によれば、請求項１と同様に、調整用データを外部から映像信号入力端子を介してＩＮＦＯフレームによりＨＤＭＩレシーバのレジスタに入力し、マイコンで当該ＩＮＦＯフレーム内の調整用データを読み込み、ＨＤＴＶを調整制御する。
【００１９】
又、調整内容の映像データを外部から映像信号入力端子を介して映像フレームによりＨＤＭＩレシーバのレジスタに入力し、マイコンで当該映像フレーム内の調整用の映像データを読み取り、映像をＨＤＴＶのディスプレイに表示する。
【考案の効果】
【００２０】
請求項１に記載の考案によれば、調整用データを外部から映像信号入力端子を介してＩＮＦＯフレームによりＨＤＭＩレシーバのレジスタに入力し、マイコンで当該ＩＮＦＯフレーム内の調整用データを読み込み、ＨＤＴＶを調整制御することで、ＨＤＴＶのセットの開梱が不要となり、ＨＤＴＶの制御情報の設定を要するメンテナンスサービスを、低コストで容易に行い得る。
【００２１】
更に、調整内容の映像データを外部から映像信号入力端子を介して映像フレームによりＨＤＭＩレシーバのレジスタに入力し、マイコンで当該映像フレーム内の調整用の映像データを読み取り、映像をＨＤＴＶのディスプレイに表示することで調整内容の確認ができ、ＨＤＴＶの制御情報の設定を要するメンテナンスサービスを、一層容易に行い得る。
【００２２】
請求項２に記載の考案によれば、調整用データを外部から映像信号入力端子を介してＩＮＦＯフレームによりＨＤＭＩレシーバのレジスタに入力し、マイコンで当該ＩＮＦＯフレーム内の調整用データを読み込み、ＨＤＴＶを調整制御することで、ＨＤＴＶのセットの開梱が不要となり、ＨＤＴＶの制御情報の設定を要するメンテナンスサービスを、低コストで容易に行い得る。
【００２３】
請求項３に記載の考案によれば、請求項１同様、調整用データを外部から映像信号入力端子を介してＩＮＦＯフレームによりＨＤＭＩレシーバのレジスタに入力し、マイコンで当該ＩＮＦＯフレーム内の調整用データを読み込み、ＨＤＴＶを調整制御することで、ＨＤＴＶのセットの開梱が不要となり、ＨＤＴＶの制御情報の設定を要するメンテナンスサービスを、低コストで容易に行い得る。
【００２４】
更に、調整内容の映像データを外部から映像信号入力端子を介して映像フレームによりＨＤＭＩレシーバのレジスタに入力し、マイコンで当該映像フレーム内の調整用の映像データを読み取り、映像をＨＤＴＶのディスプレイに表示することで調整内容の確認ができ、ＨＤＴＶの制御情報の設定を要するメンテナンスサービスを、一層容易に行い得る。
【考案を実施するための最良の形態】
【００２５】
以下、本考案を具体化した実施例について説明する。
【実施例１】
【００２６】
図１に、本実施例における、制御情報の設定調整を行うＨＤＴＶ１１の構造を説明する概略ブロック図を示す。
【００２７】
ＨＤＴＶ１１は、外部からの映像信号をＨＤＭＩ（Ｈｉｇｈ Ｄｅｆｉｎｉｔｉｏｎ Ｍｕｌｔｉｍｅｄｉａ Ｉｎｔｅｒｆａｃｅ）規格で入力する映像信号入力端子１３を備えている。ＨＤＭＩ規格は、ＤＶＩをベースに下位互換を保ちながら家電向けに豊富な機能を追加した、次世代デジタルオーディオ／ビジュアルインターフェイス規格であり、ビデオ信号以外に音声信号を高品質で伝送したり、リモートコントロールなどのために制御信号を伝送することもできる。
【００２８】
又、ＨＤＴＶ１１は、当該映像信号入力端子１３を介して外部に設けられたＨＤＭＩ出力機器１２によりＴＭＤＳ（Ｔｒａｎｓｉｔｉｏｎ Ｍｉｎｉｍｉｚｅｄ Ｄｉｆｆｅｒｅｎｔｉａｌ Ｓｉｇｎａｌｉｎｇ）方式に従ってエンコードされた映像信号を前記映像信号入力端子１３を介して受信し、ビデオプロセッサ１６に出力するＨＤＭＩレシーバ１４と、当該ＨＤＭＩレシーバ１４を制御するマイコン１５とを備えている。
【００２９】
前記マイコン１５は、ビデオプロセッサ１６とパラレルバスで接続され、逐次読み出した、Ｅ２ＰＲＯＭ１７、及びフラッシュメモリ１８内に格納された制御情報に基づき、ビデオプロセッサ１６を制御して、映像をディスプレイパネル１９に出力表示させる。
【００３０】
ところで、ＨＤＴＶ１１はデジタルでデータの送受信を行う。このデジタルデータの送受信はフレーム単位で行われ、映像フレームのデータは映像再生に、音声フレームのデータは音声再生に各々利用される。フレームデータには、この映像フレームと音声フレームの他に、ＩＮＦＯフレームというものがある。当該ＩＮＦＯフレームには、映像や音声以外のデータが書き込まれている。
【００３１】
図２に、こうした映像フレーム内の映像データ、音声フレーム内の音声データ、及びＩＮＦＯフレーム内のデータの、転送状態を模式的に示す。
【００３２】
即ち、ＩＮＦＯフレーム内のデータは、映像データ、及び音声データに伴って、必ず転送される。しかし、このＩＮＦＯフレームに書き込まれたデータは、映像フレームの映像データ、或いは音声フレームの音声データの内容に変化が無い場合には、変化しない。従って、このような映像データ、或いは音声データの内容に変化がない場合のＩＮＦＯフレームデータは、実質的に不要な転送が成されていることになる。
【００３３】
本実施例においては、上述したような不要な転送が成されているＩＮＦＯフレームデータを有効に利用し、ＨＤＴＶ１１の調整作業時における調整用データを当該ＩＮＦＯフレーム内に書き込み、送信するようにしている。
【００３４】
この調整作業時の動作について、主に図３のフローチャートに従って、以下に説明する。
【００３５】
先ず、ＨＤＴＶ１１を視聴時のノーマルモードから、調整時のファクトリーモードに設定を切り換える。
【００３６】
次に、前記ＨＤＭＩ出力機器１２によりＩＮＦＯフレーム内でＴＭＤＳ方式に従ってエンコードした調整用データを送出する。ＨＤＴＶ１１においては、ステップ１（Ｓ１）で、ファクトリーモードになっているか否かをチェックし、ファクトリーモードである場合には当該調整用データを有するＩＮＦＯフレームを前記映像信号入力端子１３を介して前記ＨＤＭＩレシーバ１４で入力し、レジスタ内に書き込む。
【００３７】
前記マイコン１５は、ステップ２（Ｓ２）で、ＨＤＭＩレシーバ１４のレジスタ内に書き込まれたＩＮＦＯフレームを読み出した後、ステップ３（Ｓ３）で、ＩＮＦＯフレーム内の前記調整用データを抽出する。
【００３８】
ステップ４（Ｓ４）で、マイコン１５は前記Ｅ２ＰＯＭ１７、及びフラッシュメモリ１８内に格納されている、初期の調整用データを前記ステップ３（Ｓ３）で抽出した新たな調整用データに書き換えて調整制御を行う。その後、ファクトリーモードからノーマルモードに設定を切り換えて調整作業を終了する。
【００３９】
尚、この調整用データとしては、例えば、映像の色の濃淡、メモリのアップデート、音のコントロール等が挙げられる。
【００４０】
以上に説明したように、本実施例においては、調整作業時の調整用データを、ＨＤＴＶ１１が元来備えている、映像信号入力端子１３を介して、ＩＮＦＯフレーム内に格納した状態で入力するようにした。従って、調整作業に際しては、ＨＤＴＶ１１のセットの開梱を不要とし、メンテナンスサービスを低コストで容易に行い得る。
【００４１】
又、映像データ、及び音声データに変化が無い場合に実質的に不要なＩＮＦＯフレームを有効利用しているので、新たな調整回路や調整機器の追加を必要とせず、一層、低コスト化を図れる。
【００４２】
尚、本願考案は本実施例の構成に限定されるものではなく、以下に列記する構成について、適宜変更可能である。
【００４３】
１．本実施例におけるＩＮＦＯフレームへの調整用データの格納と併せ、調整内容の映像データをエンコードしてＴＭＤＳ方式の映像フレームで外部より送出するように構成しても良い。
【００４４】
この構成によれば、ディスプレイパネルに調整内容が映像として表示されるので、作業者が調整内容を確認することができ、調整作業を一層、容易化することができる。
【００４５】
２．ＨＤＴＶの具体的な表示方式は、ＰＤＰ、液晶、ＣＲＴ等、特に限定はされず、各種方式において適用可能である。
【００４６】
３．以上に述べたＨＤＴＶ本体としての構成のみならず、同様の構成でのＨＤＴＶ調整制御方法としても提供し得るのは言うまでも無い。
【産業上の利用可能性】
【００４７】
ＨＤＴＶの制御情報の設定を要するメンテナンスサービスを、筐体、及び内蔵する電子回路装置等のセットを開梱することなく、低コストで容易に行い得る、ＨＤＴＶ、及びＨＤＴＶ調整制御方法を提供する。
【図面の簡単な説明】
【００４８】
【図１】本考案の実施例１を説明する概略ブロック図である。
【図２】本考案の実施例１を説明する概略図である。
【図３】本考案の実施例１を説明するフローチャートである。
【符号の説明】
【００４９】
１１…ＨＤＴＶ
１４…ＨＤＭＩレシーバ
１５…マイコン
１６…ビデオプロセッサ
１９…ディスプレイとしてのパネル
【図１】
0003112392.tif 000003
【図２】
0003112392.tif 000004
【図３】
0003112392.tif 000005